(57)【要約】【課題】ユーザの嗜好を有効に集計することができ、また従来よりも精度の高い嗜好情報を出力することができる嗜好情報管理装置を提供する。【解決手段】ユーザの利用に係るコンテンツの特徴を示す特徴情報を蓄積して集計することにより、ユーザ固有の嗜好を反映した嗜好情報を出力する嗜好情報管理装置であって、利用されたパッケージコンテンツに対応する特徴情報を取得する取得手段と、取得手段により取得された特徴情報を蓄積する蓄積手段と、蓄積手段により蓄積された特徴情報を集計して、数が多い特徴情報を嗜好情報として出力する集計手段とを備える。【選択図】  図１
2007528628.tif 000002
【特許請求の範囲】
【請求項１】
ユーザの利用に係るコンテンツの特徴を示す特徴情報を蓄積して集計することにより、ユーザ固有の嗜好を反映した嗜好情報を出力する嗜好情報管理装置であって、
利用されたパッケージコンテンツに対応する特徴情報を取得する取得手段と、
取得手段により取得された特徴情報を蓄積する蓄積手段と、
蓄積手段により蓄積された特徴情報を集計して、数が多い特徴情報を嗜好情報として出力する集計手段と
を備えることを特徴とする嗜好情報管理装置。
【請求項２】
前記取得手段は、
パッケージコンテンツ利用手段により利用されたパッケージコンテンツからＩＤを取得し、当該ＩＤに基づいて、外部装置から特徴情報を取得すること
を特徴とする請求項１に記載の嗜好情報管理装置。
【請求項３】
前記取得手段は、
パッケージコンテンツ利用手段により利用されたパッケージコンテンツから特徴情報を取得すること
を特徴とする請求項１に記載の嗜好情報管理装置。
【請求項４】
前記取得手段は、
前記パッケージコンテンツに対応する特徴情報の一種として、当該パッケージコンテンツが購入用であるかレンタル用であるかを示す特徴情報を取得し、
前記集計手段は、さらに、
購入用であることを示す特徴情報が取得されたパッケージコンテンツに対応する他の特徴情報に対して、レンタル用であることを示す特徴情報が取得されたパッケージコンテンツに対応する他の特徴情報に対するよりも大きな係数が乗じられた結果を集計すること
を特徴とする請求項１に記載の嗜好情報管理装置。
【請求項５】
前記取得手段は、さらに、
利用された、パッケージコンテンツ以外のコンテンツに対応する特徴情報を取得し、
前記集計手段は、
パッケージコンテンツに対応する特徴情報に対して、パッケージコンテンツ以外のコンテンツに対応する特徴情報に対するよりも大きな係数が乗じられた結果を集計し、得られた数が多い特徴情報を嗜好情報として出力すること
を特徴とする請求項１に記載の嗜好情報管理装置。
【請求項６】
前記蓄積手段は、
前記パッケージコンテンツに対応する特徴情報と、パッケージコンテンツ以外のコンテンツに対応する特徴情報とを識別可能な状態で蓄積し、
前記集計手段は、
集計に際して、前記パッケージコンテンツに対応する特徴情報に対して、パッケージコンテンツ以外のコンテンツに対応する特徴情報に対するよりも大きな係数を乗じること
を特徴とする請求項５に記載の嗜好情報管理装置。
【請求項７】
前記蓄積手段は、
前記パッケージコンテンツに対応する特徴情報に対して、パッケージコンテンツ以外のコンテンツに対応する特徴情報に対するよりも大きな係数を乗じて蓄積すること
を特徴とする請求項５に記載の嗜好情報管理装置。
【請求項８】
前記取得手段は、
前記パッケージコンテンツに対応する特徴情報の一種として、当該パッケージコンテンツが購入用であるかレンタル用であるかを示す特徴情報を取得し、
前記集計手段は、さらに、
購入用であることを示す特徴情報が取得されたパッケージコンテンツに対応する他の特徴情報に対して、レンタル用であることを示す特徴情報が取得されたパッケージコンテンツに対応する他の特徴情報に対するよりも大きな係数が乗じられた結果を集計すること
を特徴とする請求項５に記載の嗜好情報管理装置。
【請求項９】
ユーザの利用に係るコンテンツの特徴を示す特徴情報を蓄積して集計することにより、ユーザ固有の嗜好を反映した嗜好情報を出力する嗜好情報管理方法であって、
利用されたパッケージコンテンツに対応する特徴情報を取得する取得ステップと、
取得ステップにより取得された特徴情報を蓄積する蓄積ステップと、
蓄積ステップにより蓄積された特徴情報を集計して、数が多い特徴情報を嗜好情報として出力する集計ステップと
を含むことを特徴とする嗜好情報管理方法。
【請求項１０】
前記取得ステップは、さらに、
パッケージコンテンツ以外のコンテンツに対応する特徴情報を取得し、
前記集計ステップは、
パッケージコンテンツに対応する特徴情報に対して、パッケージコンテンツ以外のコンテンツに対応する特徴情報に対するよりも大きな係数が乗じられた結果を集計し、得られた数が多い特徴情報を嗜好情報として出力すること
を特徴とする請求項９に記載の嗜好情報管理方法。
【発明の詳細な説明】
【技術分野】
【０００１】
本発明は、コンテンツの自動録画等に役立てるために、ユーザ固有の嗜好を反映した嗜好情報を出力する嗜好情報管理装置に関し、特に、従来よりも精度の高い嗜好情報を出力するための技術に関する。
【背景技術】
【０００２】
近年、ＡＶ機器のデジタル化及び記憶容量の大規模化に伴い、ユーザ固有の嗜好を反映した嗜好情報に基づいて、ユーザが嗜好すると予想されるコンテンツを自動的に録画する自動録画装置が登場した。
このような自動録画装置における自動録画の方法には、現在以下のようなものが考えられる。
【０００３】
（ａ）ユーザから直接、任意のキーワードやジャンル等を嗜好情報として受け付け、受け付けたキーワードを含むコンテンツや受け付けたジャンルのコンテンツ等を、嗜好情報に適合するコンテンツとして電子番組表等から自動的に検索して録画する。
（ｂ）ユーザが実際に視聴したコンテンツに関するキーワードやジャンル等を自動的に蓄積して集計し、数が多いキーワードや数が多いジャンルのコンテンツ等を嗜好情報とし、数が多いキーワードを含むコンテンツや数が多いジャンルのコンテンツ等を、嗜好情報に適合するコンテンツとして電子番組表等から自動的に検索して録画する。
【０００４】
（ｃ）外部サーバにおいて、ネットワーク経由でユーザがアクセスしたコンテンツに関するキーワードやジャンル等を自動的に蓄積して集計し、数が多いキーワードや数が多いジャンルのコンテンツ等を嗜好情報とし、数が多いキーワードを含むコンテンツや数が多いジャンルのコンテンツ等を、嗜好情報に適合するコンテンツとして自動的に選択して一方的にユーザ側の装置へ送信し、ユーザ側の装置において、外部サーバから送信されたコンテンツを無選別に録画する。
【発明の開示】
【発明が解決しようとする課題】
【０００５】
しかしながら、上記自動録画の方法には以下のような問題がある。
上記（ａ）については、ユーザが嗜好情報を入力することが必須であるので、ユーザに余分な手間をかけさせることになり、またユーザが嗜好情報を十分に入力しないことにより自動録画機能が有効に働かないことも考えられる。
また、自動録画装置のユーザは、録画予約の入力を面倒だと感じているユーザが多いと予想され、このようなユーザは嗜好情報の入力も面倒だと感じ苦痛に思う可能性が極めて高いので、このようなユーザに嗜好情報の入力を強要することは、特に問題となる。
【０００６】
上記（ｂ）及び（ｃ）については、コンテンツの入手方法毎に個々に情報を蓄積し集計しているので、個々の装置間で嗜好情報が異なったり、また充分な情報が蓄積され精度の高い信頼できる嗜好情報が得られるまでにある程度の時間を要する。
一方ユーザは、コンテンツを複数のいろいろな方法で入手することができる。例えば、コンテンツは、ディスクの購入、ディスクのレンタル、ＶＯＤ（ビデオ・オン・デマンド）、ケーブルテレビ、商用衛星放送、及び地上波等の複数の方法で入手することができ、これら複数の方法はそれぞれ、コンテンツを入手出来る時期や入手するコンテンツの価値が異なっている。
【０００７】
そこで仮に、これら複数の方法から得られる全ての情報をまとめて集計すれば、個々の装置間で嗜好情報が異なることはなくなり、また充分な情報が蓄積されるまでの時間を短縮することができるものと予想されるが、上記したようにこれら複数の方法はそれぞれ、コンテンツを入手出来る時期や入手するコンテンツの価値が異なっているので、単純に集計しても精度の高い信頼できる嗜好情報とは成り得ないものと思われる。
【０００８】
また、特にユーザがディスク等を購入したりレンタルする方法によらなければ入手できないパッケージコンテンツは、他の方法で入手されるコンテンツよりも、ユーザの価値評価が高くユーザに特に強く嗜好されていると思われる。
そこで、本発明は、ユーザの嗜好を有効に集計することができ、また従来よりも精度の高い嗜好情報を出力することができる嗜好情報管理装置、及び嗜好情報管理方法を提供することを目的とする。
【課題を解決するための手段】
【０００９】
上記目的を達成するために、本発明に係る嗜好情報管理装置は、ユーザの利用に係るコンテンツの特徴を示す特徴情報を蓄積して集計することにより、ユーザ固有の嗜好を反映した嗜好情報を出力する嗜好情報管理装置であって、利用されたパッケージコンテンツに対応する特徴情報を取得する取得手段と、取得手段により取得された特徴情報を蓄積する蓄積手段と、蓄積手段により蓄積された特徴情報を集計して数が多い特徴情報を嗜好情報として出力する集計手段とを備える。
【００１０】
上記目的を達成するために、本発明に係る嗜好情報管理方法は、ユーザの利用に係るコンテンツの特徴を示す特徴情報を蓄積して集計することにより、ユーザ固有の嗜好を反映した嗜好情報を出力する嗜好情報管理方法であって、利用されたパッケージコンテンツに対応する特徴情報を取得する取得ステップと、取得ステップにより取得された特徴情報を蓄積する蓄積ステップと、蓄積ステップにより蓄積された特徴情報を集計して数が多い特徴情報を嗜好情報として出力する集計ステップとを含む。
【００１１】
これらにより、他の方法で入手されるコンテンツよりも、ユーザの価値評価が高くユーザに特に強く嗜好されていると思われるパッケージコンテンツに関する特徴情報を集計することができる。
従って、ユーザの嗜好を有効に集計することができる。
また、嗜好情報管理装置において、前記取得手段は、パッケージコンテンツ利用手段により利用されたパッケージコンテンツからＩＤを取得し、当該ＩＤに基づいて、外部装置から特徴情報を取得することもできる。
【００１２】
これにより、パッケージコンテンツに記録されたＩＤを用いて、外部装置から特徴情報を取得することができるので、現在普及しているＤＶＤディスクのような、パッケージコンテンツに特徴情報が記録されていない場合においても、本発明を実施することができる。
また、嗜好情報管理装置において、前記取得手段は、パッケージコンテンツ利用手段により利用されたパッケージコンテンツから特徴情報を取得することもできる。
【００１３】
これにより、パッケージコンテンツに記録された特徴情報を取得することができるので、今後一層普及することが期待されるブルーレイディスクのような新規格かつ大容量の記憶媒体において、本発明を実施することができる。
また、嗜好情報管理装置において、前記取得手段は、前記パッケージコンテンツに対応する特徴情報の一種として、当該パッケージコンテンツが購入用であるかレンタル用であるかを示す特徴情報を取得し、前記集計手段は、さらに、購入用であることを示す特徴情報が取得されたパッケージコンテンツに対応する他の特徴情報に対して、レンタル用であることを示す特徴情報が取得されたパッケージコンテンツに対応する他の特徴情報に対するよりも大きな係数が乗じられた結果を集計することもできる。
【００１４】
これにより、購入用のパッケージコンテンツに対応する特徴情報に対して、レンタル用のパッケージコンテンツに対応する特徴情報に対するよりも大きな係数が乗じられた結果を集計することができる。
従って、従来よりもさらに精度の高い嗜好情報を出力することができる。
また、嗜好情報管理装置において、
前記取得手段は、さらに、利用された、パッケージコンテンツ以外のコンテンツに対応する特徴情報を取得し、
前記集計手段は、パッケージコンテンツに対応する特徴情報に対して、パッケージコンテンツ以外のコンテンツに対応する特徴情報に対するよりも大きな係数が乗じられた結果を集計し、得られた数が多い特徴情報を嗜好情報として出力することもできる。
【００１５】
また、嗜好情報管理方法において、前記取得ステップは、さらに、パッケージコンテンツ以外のコンテンツに対応する特徴情報を取得し、前記集計ステップは、パッケージコンテンツに対応する特徴情報に対して、パッケージコンテンツ以外のコンテンツに対応する特徴情報に対するよりも大きな係数が乗じられた結果を集計し、得られた数が多い特徴情報を嗜好情報として出力することもできる。
【００１６】
これらにより、パッケージコンテンツに対応する特徴情報に対して、パッケージコンテンツ以外のコンテンツに対応する特徴情報に対するよりも大きな係数が乗じられた結果を集計することができる。
従って、従来よりも精度の高い嗜好情報を出力することができる。
また、嗜好情報管理装置において、前記蓄積手段は、前記パッケージコンテンツに対応する特徴情報と、パッケージコンテンツ以外のコンテンツに対応する特徴情報とを識別可能な状態で蓄積し、前記集計手段は、集計に際して、前記パッケージコンテンツに対応する特徴情報に対して、パッケージコンテンツ以外のコンテンツに対応する特徴情報に対するよりも大きな係数を乗じることもできる。
【００１７】
これにより、パッケージコンテンツに対応する特徴情報と、パッケージコンテンツ以外に対応する特徴情報とを識別可能な状態で蓄積し、集計に際して係数を乗じることができるので、集計時に係数を変更することができ、自由度が高い。
また、嗜好情報管理装置において、前記蓄積手段は、前記パッケージコンテンツに対応する特徴情報に対して、パッケージコンテンツ以外のコンテンツに対応する特徴情報に対するよりも大きな係数を乗じて蓄積することもできる。
【００１８】
これにより、蓄積に際して係数を乗じることができるので、集計時の処理が軽くなる。
【発明を実施するための最良の形態】
【００１９】
（実施の形態１）
＜構成＞
図１は、本発明の実施の形態１における嗜好情報管理装置１の概略構成を示す図である。
なお、図１には、嗜好情報管理装置１の説明のために、放送装置２、ＶＯＤサーバ３、表示機器４を記載している。
【００２０】
放送装置２は、例えばデジタル衛星波放送を放送する放送衛星やデジタル地上波放送を放送する放送局及びケーブルテレビ局に接地された放送装置等であり、ＥＰＧデータ及び放送番組コンテンツ等の各種データを時分割多重方式等により多重化した放送波を放送する。
ここで、ＥＰＧデータとは、ＥＰＧ（電子番組表）を生成するために必要な全ての情報を含むデータである。
【００２１】
また、放送番組コンテンツとは、放送番組の映像データ及び音声データ等である。
ＶＯＤサーバ３は、例えばＶＯＤ（ビデオ・オン・デマンド）を提供する商用サイトであり、ユーザの要求に基づいて、ネットワークを介してＶＯＤメニューデータ及びＶＯＤコンテンツ等を送信する。
ここでＶＯＤメニューデータとは、ＶＯＤメニューを生成するために必要な全ての情報を含むデータである。
【００２２】
また、ＶＯＤコンテンツとは、ＶＯＤ用の映像データ及び音声データ等である。
表示機器４は、例えばブラウン管モニタや液晶モニタ等であり、ＥＰＧ生成部１９により生成されたＥＰＧ、及びメニュー生成部２２により生成されたＶＯＤメニュー等を表示する。
図１に示すように、実施の形態１の嗜好情報管理装置１は、パッケージコンテンツ再生部１１、認識部１２、特徴情報取得部１３、蓄積部１４、集計部１５、放送受信部１６、ＥＰＧデータ抽出部１７、ＥＰＧデータ保存部１８、ＥＰＧ生成部１９、メニューデータ取得部２０、メニューデータ保存部２１、メニュー生成部２２、ユーザ指示受付部２３、予約管理部２４、番組データ抽出部２５、ＶＯＤデータ取得部２６、録画部２７、放送番組再生部２８、及びＶＯＤ再生部２９を備える。なお説明の簡略化のため、図１において、ユーザ指示受付部２３と他の構成要素との関係を示す線の記載を省略している。
【００２３】
パッケージコンテンツ再生部１１は、ユーザにより購入又はレンタルされた光ディスク等パッケージコンテンツが、ユーザにより所定位置に置かれるとこれをローディングし、ユーザの要求に基づいて、当該パッケージコンテンツに記録されたデジタルコンテンツを読み取って再生する。
認識部１２は、パッケージコンテンツ再生部１１によりローディングされたパッケージコンテンツから一部のデータが正常に読める事を試行する等の方法により、読み取り可能となったパッケージコンテンツを認識する。
【００２４】
特徴情報取得部１３は、認識部１２により認識されたパッケージコンテンツから、当該パッケージコンテンツに記録されているメタデータのうちの、ユーザの嗜好に関係すると予め取り決めているものを第１特徴情報として取得し、また、ＥＰＧデータ保存部１８から、放送番組再生部２８により再生されたパッケージコンテンツでないコンテンツに関するＥＰＧデータのうちの、ユーザの嗜好に関係すると予め取り決めているものを第２特徴情報として取得し、また、メニューデータ保存部２１から、ＶＯＤ再生部２９により再生されたパッケージコンテンツでないコンテンツに関するＶＯＤメニューデータのうちの、ユーザの嗜好に関係すると予め取り決めているものを第３特徴情報として取得して、それぞれ取得する。
【００２５】
なお実施の形態１では、パッケージコンテンツには、少なくともデジタルコンテンツとメタデータとが記録されているものとする。
ここでデジタルコンテンツの種類は、例えば音楽、ゲームソフト、映画等の動画、静止画等である。
またメタデータとは、コンテンツの属性や特徴を表す情報であり、例えば、ジャンル、ビットレート、圧縮フォーマット、ファイルサイズ、キーワード、及び購入用かレンタル用か等の項目毎の情報を含み、特に音楽コンテンツである場合には、アルバムタイトル、歌手名、演奏者名、曲目、演奏時間、作詞者、作曲者、発売年月日、ジャケット写真、歌詞、譜面、及びサンプルレートの項目を含み、ゲームソフトのコンテンツである場合には、ゲームタイトル、メーカ名、及びキャラクタデータの項目を含み、映画のコンテンツである場合には、映画のタイトル、出演者名、監督名、スタッフ名、製作国、本編時間、配給会社、言語、公開年月日、レーティング（ＰＧ−１３等）、及びリージョンの項目を含む。
【００２６】
また、メタデータ、ＥＰＧデータ、及びＶＯＤメニューデータのうちのユーザの嗜好に関係するものとは、例えば、ジャンル、キーワード、購入用かレンタル用か、アルバムタイトル、歌手名、演奏者名、曲目、作詞者、作曲者、ゲームタイトル、映画のタイトル、出演者名、監督名、及びスタッフ名、等である。
蓄積部１４は、特徴情報取得部１３により取得された第１特徴情報、第２特徴情報、及び第３特徴情報を蓄積する。ここで蓄積部１４は、各特徴情報を、パッケージコンテンツに由来する情報であるか否かを識別可能な状態で蓄積し、例えば、レンタル用のパッケージコンテンツから取得した第１特徴情報には重み付けを「２」とし、購入用のパッケージコンテンツから取得した第１特徴情報には重み付けを「３」とし、パッケージコンテンツ以外から取得した第２特徴情報及び第３特徴情報には重み付けを「１」として記録する。
【００２７】
図２は、蓄積部１４により蓄積された特徴情報のリストの一例を示す図である。
図２に示す特徴情報のリストをみると、例えばレンタル用のパッケージコンテンツから取得した第１特徴情報であるタイトルのデータ要素「Ｍｅｍｅｍｔｏ」は、利用回数を示すカウンタの値が「２」なので２回利用されたコンテンツの情報であり、重み付けの値が「２」なのでレンタル用のコンテンツの情報であり、カウンタ「２」×重み付け「２」より点数が「４」であることがわかる。また購入用のパッケージコンテンツから取得した第１特徴情報であるタイトルのデータ要素「Ｂｌｏｗ」は、カウンタの値が「１」なので１回利用されたコンテンツの情報であり、重み付けの値が「３」なので購入用のコンテンツの情報であり、カウンタ「１」×重み付け「３」より点数が「３」であることがわかる。また、メニューデータ保存部２１から取得した第３特徴情報であるタイトルのデータ要素「Ｅｌｆ」は、カウンタの値が「５」なので５回利用されたコンテンツの情報であり、重み付けの値が「１」なのでパッケージコンテンツ以外から取得した情報であり、カウンタ「５」×重み付け「１」より点数が「５」であることがわかる。なお他の項目であるジャンル、出演者、及びキーワード等についてのカウンタの値、重み付けの値、及び点数についてはタイトルと同様であるので、その説明を省略する。
【００２８】
集計部１５は、蓄積された各特徴情報を集計して、項目別に数が多い特徴情報を嗜好情報として出力する。ここで集計部１５は、パッケージコンテンツに対応する特徴情報に対して、他の特徴情報に対するよりも大きな係数が乗じられた結果を集計し、得られた数が多い特徴情報を嗜好情報として出力する。例えば、レンタル用のパッケージコンテンツから取得した特徴情報にはカウンタの値に重み付け用の係数「２」を架けた結果を集計し、購入用のパッケージコンテンツから取得した特徴情報にはカウンタの値に重み付け用の係数「３」を架けた結果を集計し、パッケージコンテンツ以外から取得した特徴情報にはカウンタの値をそのまま集計する。
【００２９】
放送受信部１６は、放送装置２により放送される放送波を受信する。
ＥＰＧデータ抽出部１７は、放送受信部１６により受信された放送波に多重されたＥＰＧデータを抽出する。
ＥＰＧデータ保存部１８は、ＥＰＧデータ抽出部１７により抽出されたＥＰＧデータを保存する。
【００３０】
ＥＰＧ生成部１９は、ユーザからのＥＰＧ表示指示に従って、ＥＰＧデータ保存部１８に保存されたＥＰＧデータに基づいて、従来と同様の手法によりＥＰＧを生成し、さらに、集計部１５に嗜好情報の出力要求を出して、集計部１５により出力された嗜好情報に基づいて、生成したＥＰＧに変更を加えて表示機器４に表示させる。より具体的には、ＥＰＧ生成部１９は、従来と同様の手法によって生成したＥＰＧ中の、集計部１５により出力された嗜好情報と同じＥＰＧデータを含む番組だけに、特に目立つように、文字色、背景色、字体、背景模様、又は外枠等を変えたり特定のマークを付けたりする変更を加える。
【００３１】
図３は、嗜好情報と同じＥＰＧデータを含む番組だけに、背景模様を変える変更を加えたＥＰＧの一例を示す図である。
図３に示すように、８チャンネルのＰＳＢにおいてＰＭ８：００から放送される「映画：Ｎｏ．２」、及び６チャンネルのＣＮＳにおいてＰＭ１０：００から放送される「刑事ドラマ：追跡」の背景模様が他の番組と異なり、特に目立っている。
【００３２】
図４は、嗜好情報と同じＥＰＧデータを含む番組だけに、特定のマークを付ける変更を加えたＥＰＧの一例を示す図である。
図４に示すように、８チャンネルのＰＳＢにおいてＰＭ８：００から放送される「映画：Ｎｏ．２」、及び６チャンネルのＣＮＳにおいてＰＭ１０：００から放送される「刑事ドラマ：追跡」に特定のマークが付けられ、特に目立っている。
【００３３】
メニューデータ取得部２０は、ＶＯＤサーバ３へＶＯＤメニューデータの配信を要求し、ＶＯＤサーバ３からＶＯＤメニューデータを受信する。
メニューデータ保存部２１は、メニューデータ取得部２０により受信されたＶＯＤメニューデータを保存する。
メニュー生成部２２は、ユーザからのＶＯＤメニュー表示指示に従って、メニューデータ保存部２１に保存されたＶＯＤメニューデータに基づいて、従来と同様の手法によりＶＯＤメニューを生成し、さらに、集計部１５に嗜好情報の出力要求を出して、集計部１５により出力された嗜好情報に基づいて、生成したＶＯＤメニューに変更を加えて表示機器４に表示させる。より具体的には、従来と同様の手法により生成されたＶＯＤメニュー中に、集計部１５により出力された嗜好情報と同じＶＯＤメニューデータを含む番組の案内を特に目立つように挿入する。
【００３４】
図５は、嗜好情報と同じＶＯＤメニューデータを含む番組の案内を挿入したＶＯＤメニューの一例を示す図である。
図５に示すように、「お勧めリスト」というタイトルが付けられた表示欄に、嗜好情報と同じＶＯＤメニューデータを含む番組「映画ＮＯ．２」、「刑事ドラマ：追跡」及び「スポーツ：ゴルフダイジェスト」の案内が目立つように挿入されている。
【００３５】
ユーザ指示受付部２３は、ユーザから、パッケージコンテンツ再生指示、ＥＰＧ表示指示、放送番組再生指示、ＶＯＤメニュー表示指示、ＶＯＤ再生指示、録画放送番組再生指示、録画ＶＯＤデータ再生指示、放送番組録画指示、及びＶＯＤ録画指示等の各種指示を受け付ける。
予約管理部２４は定期的に、ＥＰＧデータ抽出部１７にＥＰＧデータの抽出指示を出し、メニューデータ取得部２０にＶＯＤメニューデータの取得指示を出し、集計部１５に嗜好情報の出力要求を出して、ＥＰＧデータ保存部１８に保存されたＥＰＧデータの中から集計部１５により出力された嗜好情報と同じＥＰＧデータを含む放送番組を検索して録画予約して録画開始時間に放送番組録画要求を出し、また、メニューデータ保存部２１に保存されたＶＯＤメニューデータの中から集計部１５により出力された嗜好情報と同じＶＯＤメニューデータを含むＶＯＤデータを検索してＶＯＤ録画要求を出す。
【００３６】
番組データ抽出部２５は、放送受信部１６により受信された放送波から、多重された番組データを抽出する。
ＶＯＤデータ取得部２６は、ＶＯＤサーバ３へＶＯＤデータの配信を要求し、ＶＯＤサーバ３からＶＯＤデータを受信する。
録画部２７は、予約管理部２４からの放送番組録画要求に従って、番組データ抽出部２５により抽出された番組データを録画し、また予約管理部２４からのＶＯＤ録画要求に従って、ＶＯＤデータ取得部２６により受信されたＶＯＤデータを録画する。
【００３７】
放送番組再生部２８は、ユーザからの放送番組再生指示に従って、番組データ抽出部２５により抽出された番組データを再生して表示機器４に表示させ、また、ユーザからの録画放送番組再生指示に従って、録画部２７により録画した番組データを再生して表示機器４に表示させる。
ＶＯＤ再生部２９は、ユーザからのＶＯＤ再生指示に従って、ＶＯＤデータ取得部２６により受信されたＶＯＤデータを再生して表示機器４に表示させ、また、ユーザからの録画ＶＯＤデータ再生指示に従って、録画部２７により録画したＶＯＤデータを再生して表示機器４に表示させる。
【００３８】
＜動作＞
図６は、本発明の実施の形態１の嗜好情報管理装置１において、パッケージコンテンツ、及び他のコンテンツの利用履歴を、特徴情報として蓄積する動作の手順を示す図である。
以下に、図６を用いてパッケージコンテンツ、及び他のコンテンツの利用履歴を、特徴情報として蓄積する動作の手順を説明する。
（１）パッケージコンテンツ再生部１１が、ユーザにより所定位置にパッケージコンテンツが置かれるまで待つ（ステップＳ１）。
（２）パッケージコンテンツ再生部１１が、所定位置に置かれたパッケージコンテンツをローディングする（ステップＳ２）。
（３）認識部１２が、読み取り可能となったパッケージコンテンツを認識する（ステップＳ３）。
（４）特徴情報取得部１３が、認識部１２により認識されたパッケージコンテンツから、第１特徴情報を取得する（ステップＳ４）。
（５）蓄積部１４が、特徴情報取得部１３により取得された第１特徴情報を蓄積する（ステップＳ５）。ここで蓄積部１４は、第１特徴情報中にレンタル用であることを示す情報がある場合に重み付けを「２」とし、購入用であることを示す情報がある場合に重み付けを「３」として記録する。
（６）ユーザ指示受付部２３が、ユーザから、放送番組再生指示、又は録画放送番組再生指示を受け付けるまで待つ（ステップＳ６）。
（７）放送番組再生部２８が、ユーザからの指示に基づいて、番組データ抽出部２５により抽出された番組データ、又は録画部２７により録画した番組データを再生して表示機器４に表示させる（ステップＳ７）。
（８）特徴情報取得部１３が、ＥＰＧデータ保存部１８から、第２特徴情報を取得する（ステップＳ８）。
（９）蓄積部１４が、特徴情報取得部１３により取得された第２特徴情報を蓄積する（ステップＳ９）。ここで蓄積部１４は、重み付けを「１」として記録する。
（１０）ユーザ指示受付部２３が、ユーザから、ＶＯＤ再生指示又は録画ＶＯＤ再生指示を受け付けるまで待つ（ステップＳ１０）。
（１１）ＶＯＤ再生部２９が、ユーザからの指示に基づいて、ＶＯＤデータ取得部２６により受信されたＶＯＤデータ、又は録画部２７により録画したＶＯＤデータを再生して表示機器４に表示させる（ステップＳ１１）。
（１２）特徴情報取得部１３が、メニューデータ保存部２１から、第３特徴情報を取得する（ステップＳ１２）。
（１３）蓄積部１４が、特徴情報取得部１３により取得された第３特徴情報を蓄積する（ステップＳ１３）。ここで蓄積部１４は、重み付けを「１」として記録する。
【００３９】
図７は、本発明の実施の形態１の嗜好情報管理装置１において、図６に示した動作の手順により蓄積した特徴情報を集計し、集計結果を嗜好情報として出力して役立てる動作の手順を示す図である。
以下に、図７を用いて、特徴情報を集計し、集計結果を嗜好情報として出力して役立てる動作の手順を説明する。
（１）ユーザ指示受付部２３が、ユーザから、ＥＰＧ表示指示を受け付けるまで待つ（ステップＳ２１）。
（２）ＥＰＧデータ抽出部１７が、放送受信部１６により受信された放送波に多重されたＥＰＧデータを抽出する（ステップＳ２２）。
（３）ＥＰＧデータ保存部１８が、ＥＰＧデータ抽出部１７により抽出されたＥＰＧデータを保存する（ステップＳ２３）。
（４）ＥＰＧ生成部１９が、ＥＰＧデータ保存部１８に保存されたＥＰＧデータに基づいて、従来と同様の手法によりＥＰＧを生成し、さらに、集計部１５に嗜好情報の出力要求を出す（ステップＳ２４）。
（５）集計部１５が、蓄積された各特徴情報を集計して、項目別に数が多い特徴情報を嗜好情報として出力する（ステップＳ２５）。ここで、集計部１５は、レンタル用のパッケージコンテンツから取得した特徴情報にはカウンタの値に重み付け用の係数「２」を架けた結果を集計し、購入用のパッケージコンテンツから取得した特徴情報にはカウンタの値に重み付け用の係数「３」を架けた結果を集計する。
（６）ＥＰＧ生成部１９が、生成したＥＰＧに、集計部１５により出力された嗜好情報と同じＥＰＧデータを含む番組だけに、特に目立つように、文字色、背景色、字体、背景模様、又は外枠等を変えたり特定のマークを付けたりする変更を加えて表示機器４に表示させる（ステップＳ２６）。
（７）ユーザ指示受付部２３が、ユーザから、ＶＯＤメニュー表示指示を受け付けるまで待つ（ステップＳ２７）。
（８）メニューデータ取得部２０が、ＶＯＤサーバ３へＶＯＤメニューデータの配信を要求し、ＶＯＤサーバ３からＶＯＤメニューデータを受信する（ステップＳ２８）。
（９）メニューデータ保存部２１が、メニューデータ取得部２０により受信されたＶＯＤメニューデータを保存する（ステップＳ２９）。
（１０）メニュー生成部２２が、ユーザからのＶＯＤメニュー表示指示に従って、メニューデータ保存部２１に保存されたＶＯＤメニューデータに基づいて、従来と同様の手法によりＶＯＤメニューを生成し、さらに、集計部１５に嗜好情報の出力要求を出す（ステップＳ３０）。
（１１）集計部１５が、蓄積された各特徴情報を集計して、項目別に数が多い特徴情報を嗜好情報として出力する（ステップＳ３１）。ここで、集計部１５は、レンタル用のパッケージコンテンツから取得した特徴情報にはカウンタの値に重み付け用の係数「２」を架けた結果を集計し、購入用のパッケージコンテンツから取得した特徴情報にはカウンタの値に重み付け用の係数「３」を架けた結果を集計する。
（１２）メニュー生成部２２が、ＶＯＤメニューに、集計部１５により出力された嗜好情報と同じＶＯＤメニューデータを含む番組の案内を特に目立つように挿入する変更を加えて表示機器４に表示させる（ステップＳ３２）。
（１３）予約管理部２４が、録画予約時間になるまで待つ（ステップＳ３３）。
（１４）予約管理部２４が、ＥＰＧデータ抽出部１７にＥＰＧデータの抽出指示を出し、メニューデータ取得部２０にＶＯＤメニューデータの取得指示を出し、集計部１５に嗜好情報の出力要求を出す（ステップＳ３４）。
（１５）ＥＰＧデータ抽出部１７が放送受信部１６により受信された放送波に多重されたＥＰＧデータを抽出する（ステップＳ３５）。
（１６）ＥＰＧデータ保存部１８が、ＥＰＧデータ抽出部１７により抽出されたＥＰＧデータを保存する（ステップＳ３６）。
（１７）メニューデータ取得部２０が、ＶＯＤサーバ３へＶＯＤメニューデータの配信を要求し、ＶＯＤサーバ３からＶＯＤメニューデータを受信する（ステップＳ３７）。
（１８）メニューデータ保存部２１が、メニューデータ取得部２０により受信されたＶＯＤメニューデータを保存する（ステップＳ３８）。
（１９）集計部１５が、蓄積された各特徴情報を集計して、項目別に数が多い特徴情報を嗜好情報として出力する（ステップＳ３９）。ここで、集計部１５は、レンタル用のパッケージコンテンツから取得した特徴情報にはカウンタの値に重み付け用の係数「２」を架けた結果を集計し、購入用のパッケージコンテンツから取得した特徴情報にはカウンタの値に重み付け用の係数「３」を架けた結果を集計する。
（２０）予約管理部２４が、ＥＰＧデータ保存部１８に保存されたＥＰＧデータの中から集計部１５により出力された嗜好情報と同じＥＰＧデータを含む番組を検索して録画予約し、ニューデータ保存部２１に保存されたＶＯＤメニューデータの中から集計部１５により出力された嗜好情報と同じＶＯＤメニューデータを含む番組を検索してＶＯＤ録画要求を出す（ステップＳ４０）。
（２１）録画部２７が、予約管理部２４からのＶＯＤ録画要求に従って、ＶＯＤデータ取得部２６により受信されたＶＯＤデータを録画する（ステップＳ４１）。（２２）予約管理部２４が、放送番組の録画開始時間になるまで待つ（ステップＳ４２）。
（２３）予約管理部２４が、放送番組録画要求を出す（ステップＳ４３）。
（２４）録画部２７が、予約管理部２４からの放送番組録画要求に従って、番組データ抽出部２５により抽出された番組データを録画する（ステップＳ４４）。
（実施の形態２）
＜構成＞
図８は、本発明の実施の形態２における嗜好情報管理装置５及びメタデータ管理サーバ６の概略構成を示す図である。
【００４０】
ここで、実施の形態１で説明した各周辺機器及び各構成要素と同一の機能を有するものには同一番号を記し、その説明を省略する。
なお、図８には、嗜好情報管理装置５及びメタデータ管理サーバ６の説明のために、放送装置２、ＶＯＤサーバ３、表示機器４を記載している。
メタデータ管理サーバ６は、メタデータをディスクＩＤに対応付けて記憶し管理しており、嗜好情報管理装置５から所定のディスクＩＤが送信されると、当該所定のディスクＩＤに対応付けて記憶されているメタデータを送り返す。
【００４１】
図８に示すように、実施の形態２の嗜好情報管理装置５は、パッケージコンテンツ再生部１１、認識部１２、ディスクＩＤ取得部５１、ディスクＩＤ送信部５２、特徴情報取得部５３、蓄積部５４、集計部１５、放送受信部１６、ＥＰＧデータ抽出部１７、ＥＰＧデータ保存部１８、ＥＰＧ生成部１９、メニューデータ取得部２０、メニューデータ保存部２１、メニュー生成部２２、ユーザ指示受付部２３、予約管理部２４、番組データ抽出部２５、ＶＯＤデータ取得部２６、録画部２７、放送番組再生部２８、及びＶＯＤ再生部２９を備える。なお説明の簡略化のため、図８において、ユーザ指示受付部２３と他の構成要素との関係を示す線の記載を省略している。
【００４２】
ディスクＩＤ取得部５１は、認識部１２により認識されたパッケージコンテンツから、当該パッケージコンテンツに記録されているディスクＩＤを取得する。
なお実施の形態２では、パッケージコンテンツには、少なくともデジタルコンテンツとディスクＩＤとが記録されているものとする。
ディスクＩＤ送信部５２は、ディスクＩＤ取得部５１により取得されたディスクＩＤを、メタデータ管理サーバ６へ送信する。
【００４３】
特徴情報取得部５３は、ディスクＩＤ送信部５２により送信されたディスクＩＤに対応するメタデータをメタデータ管理サーバ６から受信し、受信したメタデータのうちの、ユーザの嗜好に関係すると予め取り決めているものを第１特徴情報として取得し、また、ＥＰＧデータ保存部１８から、放送番組再生部２８により再生されたパッケージコンテンツでないコンテンツに関するＥＰＧデータのうちの、ユーザの嗜好に関係すると予め取り決めているものを第２特徴情報として取得し、また、メニューデータ保存部２１から、ＶＯＤ再生部２９により再生されたパッケージコンテンツでないコンテンツに関するＶＯＤメニューデータのうちの、ユーザの嗜好に関係すると予め取り決めているものを第３特徴情報として取得して、それぞれ取得する。
【００４４】
蓄積部５４は、特徴情報取得部５３により取得された第１特徴情報、第２特徴情報、及び第３特徴情報を蓄積する。ここで蓄積部５４は、各特徴情報を、パッケージコンテンツに由来する情報であるか否かを識別可能な状態で蓄積し、例えば、レンタル用のパッケージコンテンツに対応する第１特徴情報には重み付けを「２」とし、購入用のパッケージコンテンツに対応する第１特徴情報には重み付けを「３」とし、パッケージコンテンツ以外から取得した第２特徴情報及び第３特徴情報には重み付けを「１」として記録する。
【００４５】
蓄積部５４により蓄積された特徴情報のリストは、実施の形態１と同様であるので、その説明を省略する。
＜動作＞
図９は、本発明の実施の形態２の嗜好情報管理装置５において、パッケージコンテンツ、及び他のコンテンツの利用履歴を、特徴情報として蓄積する動作の手順を示す図である。
【００４６】
以下に、図９を用いてパッケージコンテンツ、及び他のコンテンツの利用履歴を、特徴情報として蓄積する動作の手順を説明する。
なお、実施の形態１の図６と同様のステップには同一番号を付し、その説明を省略する。
（１）〜（３）図６の（１）〜（３）と同様（ステップＳ１〜Ｓ３）。
（４）ディスクＩＤ取得部５１が、認識部１２により認識されたパッケージコンテンツから、当該パッケージコンテンツに記録されているディスクＩＤを取得する（ステップＳ５１）。
（５）ディスクＩＤ送信部５２が、ディスクＩＤ取得部５１により取得されたディスクＩＤを、メタデータ管理サーバ６へ送信する（ステップＳ５２）。
（６）特徴情報取得部５３が、ディスクＩＤ送信部５２により送信されたディスクＩＤに対応するメタデータをメタデータ管理サーバ６から受信し、受信したメタデータ中の第１特徴情報を取得する（ステップＳ５３）。
（７）蓄積部５４が、特徴情報取得部５３により取得された第１特徴情報を蓄積する（ステップＳ５４）。ここで蓄積部５４は、第１特徴情報中にレンタル用であることを示す情報がある場合に重み付けを「２」とし、購入用であることを示す情報がある場合に重み付けを「３」として記録する。
（８）〜（９）図６の（６）〜（７）と同様（ステップＳ６〜Ｓ７）。
（１０）特徴情報取得部５３が、ＥＰＧデータ保存部１８から、第２特徴情報を取得する（ステップＳ５５）。
（１１）蓄積部５４が、特徴情報取得部５３により取得された第２特徴情報を蓄積する（ステップＳ５６）。ここで蓄積部５４は、重み付けを「１」として記録する。
（１２）〜（１３）図６の（１０）〜（１１）と同様（ステップＳ１０〜Ｓ１１）。
（１４）特徴情報取得部５３が、メニューデータ保存部２１から、第３特徴情報を取得する（ステップＳ５７）。
（１５）蓄積部５４が、特徴情報取得部５３により取得された第３特徴情報を蓄積する（ステップＳ５８）。ここで蓄積部５４は、重み付けを「１」として記録する。
【００４７】
図９に示した動作の手順により蓄積した特徴情報を集計し、集計結果を嗜好情報として出力して役立てる動作の手順は、実施の形態１と同様であるので、その説明を省略する。
＜まとめ＞
以上のように、本発明の実施の形態１及び２によれば、パッケージコンテンツに関する特徴情報を集計することにより、ユーザの嗜好を有効に集計することができ、また、パッケージコンテンツに由来する特徴情報に対して、パッケージコンテンツ以外から取得した特徴情報に対するよりも大きな係数が乗じられた結果を集計することにより、従来よりも精度の高い嗜好情報を出力することができる。  さらには、購入用のパッケージコンテンツに対応する特徴情報に対して、レンタル用のパッケージコンテンツに対応する特徴情報に対するよりも大きな係数が乗じられた結果を集計することにより、さらに精度の高い嗜好情報を出力することができる。
【００４８】
なお、本発明の実施の形態１及び２においては、蓄積部１４及び蓄積部５４が特徴情報を蓄積するときに、各カウンタの値に重み付け用の係数を架けた結果を点数として記憶しているが、このときに点数を計算せずに、各カウンタの値を識別可能な状態で蓄積しておき、集計部１５が集計するときに、各カウンタの値に重み付け用の係数を架けて点数を算出してもよい。
【００４９】
また、本発明の実施の形態１及び２においては、パッケージコンテンツが所定位置に置かれ視聴可能な状態になったときに、パッケージコンテンツを利用したと認識して特徴情報を蓄積しているが、パッケージコンテンツを利用したと認識するタイミングはこれと異なってもよい。例えば、パッケージコンテンツを実際に視聴したときに、パッケージコンテンツを利用したと認識して特徴情報を蓄積してもよい。
【００５０】
また、本発明の実施の形態１及び２においては、パッケージコンテンツ以外のコンテンツが再生されたときに、パッケージコンテンツ以外のコンテンツを利用したと認識して特徴情報を蓄積しているが、パッケージコンテンツ以外のコンテンツを利用したと認識するタイミングはこれと異なってもよい。例えば、パッケージコンテンツ以外のコンテンツを録画したときにも、パッケージコンテンツ以外のコンテンツを利用したと認識して特徴情報を蓄積してもよい。
【００５１】
また本発明の実施の形態１及び２においては、特徴情報を蓄積する構成要素と、嗜好情報を利用する複数の構成要素とを全て備えた装置について説明したが、必ずしもこれら全ての構成要素を備えなくてもよく、これらの構成要素を部分的に備える装置であってもよい。
（変形例１）
図１０は、特徴情報を蓄積する構成要素と、嗜好情報を利用する構成要素とをそれぞれ別個の装置とした場合の、実施の形態１に対応する本発明の変形例の概略構成を示す図である。
【００５２】
図１０に示すように、変形例１の嗜好情報管理装置７１は、蓄積部１４、集計部１５、及びユーザ指示受付部２３を備え、変形例１のパッケージコンテンツ管理装置７２は、パッケージコンテンツ再生部１１、認識部１２、及び特徴情報取得部１３を備え、変形例１の放送番組管理装置７３は、放送受信部１６、ＥＰＧデータ抽出部１７、ＥＰＧデータ保存部１８、ＥＰＧ生成部１９、番組データ抽出部２５、及び放送番組再生部２８を備え、変形例１のＶＯＤ管理装置７４は、メニューデータ取得部２０、メニューデータ保存部２１、メニュー生成部２２、ＶＯＤデータ取得部２６、及びＶＯＤ再生部２９を備え、変形例１の録画管理装置７５は、予約管理部２４、及び録画部２７を備える。
【００５３】
ここで、実施の形態１で説明した各周辺機器及び各構成要素と同一の機能を有するものには同一番号を記し、その説明を省略する。
また、変形例１に示した個々の装置を部分的に組み合わせた構成であってもよい。個々の装置を部分的に組み合わせた構成としては、例えば、嗜好情報管理装置７１とパッケージコンテンツ管理装置７２とを組み合わせた構成、嗜好情報管理装置７１と放送番組管理装置７３とを組み合わせた構成、嗜好情報管理装置７１とＶＯＤ管理装置７４とを組み合わせた構成、嗜好情報管理装置７１と録画管理装置７５とを組み合わせた構成、嗜好情報管理装置７１とパッケージコンテンツ管理装置７２と放送番組管理装置７３とを組み合わせた構成、嗜好情報管理装置７１とパッケージコンテンツ管理装置７２とＶＯＤ管理装置７４とを組み合わせた構成、及び嗜好情報管理装置７１とパッケージコンテンツ管理装置７２と録画管理装置７５とを組み合わせた構成等が考えられる。
（変形例２）
図１１は、特徴情報を蓄積する構成要素と、嗜好情報を利用する構成要素とをそれぞれ別個の装置とした場合の、実施の形態２に対応する本発明の変形例の概略構成を示す図である。
【００５４】
図１１に示すように、変形例２の嗜好情報管理装置８１は、蓄積部５４、集計部１５、及びユーザ指示受付部２３を備え、変形例２のパッケージコンテンツ管理装置８２は、パッケージコンテンツ再生部１１、認識部１２、ディスクＩＤ取得部５１、ディスクＩＤ送信部５２、及び特徴情報取得部５３を備え、変形例２の放送番組管理装置７３は、放送受信部１６、ＥＰＧデータ抽出部１７、ＥＰＧデータ保存部１８、ＥＰＧ生成部１９、番組データ抽出部２５、及び放送番組再生部２８を備え、変形例２のＶＯＤ管理装置７４は、メニューデータ取得部２０、メニューデータ保存部２１、メニュー生成部２２、ＶＯＤデータ取得部２６、及びＶＯＤ再生部２９を備え、変形例２の録画管理装置７５は、予約管理部２４、及び録画部２７を備える。
【００５５】
ここで、実施の形態２及び変形例１で説明した各周辺機器及び各構成要素と同一の機能を有するものには同一番号を記し、その説明を省略する。
また、変形例２に示した個々の装置を部分的に組み合わせた構成であってもよい。個々の装置を部分的に組み合わせた構成としては、例えば、嗜好情報管理装置８１とパッケージコンテンツ管理装置８２とを組み合わせた構成、嗜好情報管理装置８１と放送番組管理装置７３とを組み合わせた構成、嗜好情報管理装置８１とＶＯＤ管理装置７４とを組み合わせた構成、嗜好情報管理装置８１と録画管理装置７５とを組み合わせた構成、嗜好情報管理装置８１とパッケージコンテンツ管理装置８２と放送番組管理装置７３とを組み合わせた構成、嗜好情報管理装置８１とパッケージコンテンツ管理装置８２とＶＯＤ管理装置７４とを組み合わせた構成、及び嗜好情報管理装置８１とパッケージコンテンツ管理装置８２と録画管理装置７５とを組み合わせた構成等が考えられる。
【産業上の利用可能性】
【００５６】
本発明は、自動録画装置や家庭用ホームサーバに適用することができる。本発明によって、従来よりも精度の高い嗜好情報に基づいた自動録画予約や、電子番組表の強調表示等ができるので、その産業的利用価値は極めて高い。
また、自動録画装置や家庭用ホームサーバだけでなく、あらゆるＡＶ機器に適用することができる。
【図面の簡単な説明】
【００５７】
【図１】本発明の実施の形態１における嗜好情報管理装置１の概略構成を示す図である。
【図２】蓄積部１４により蓄積された特徴情報のリストの一例を示す図である。
【図３】嗜好情報と同じＥＰＧデータを含む番組だけに、背景模様を変える変更を加えたＥＰＧの一例を示す図である。
【図４】嗜好情報と同じＥＰＧデータを含む番組だけに、特定のマークを付ける変更を加えたＥＰＧの一例を示す図である。
【図５】嗜好情報と同じＶＯＤメニューデータを含む番組の案内を挿入したＶＯＤメニューの一例を示す図である。
【図６】本発明の実施の形態１の嗜好情報管理装置１において、パッケージコンテンツ、及び他のコンテンツの利用履歴を、特徴情報として蓄積する動作の手順を示す図である。
【図７】本発明の実施の形態１の嗜好情報管理装置１において、図６に示した動作の手順により蓄積した特徴情報を集計し、集計結果を嗜好情報として出力して役立てる動作の手順を示す図である。
【図８】本発明の実施の形態２における嗜好情報管理装置５及びメタデータ管理サーバ６の概略構成を示す図である。
【図９】本発明の実施の形態２の嗜好情報管理装置５において、パッケージコンテンツ、及び他のコンテンツの利用履歴を、特徴情報として蓄積する動作の手順を示す図である。
【図１０】特徴情報を蓄積する構成要素と、嗜好情報を利用する構成要素とをそれぞれ別個の装置とした場合の、実施の形態１に対応する本発明の変形例の概略構成を示す図である。
【図１１】特徴情報を蓄積する構成要素と、嗜好情報を利用する構成要素とをそれぞれ別個の装置とした場合の、実施の形態２に対応する本発明の変形例の概略構成を示す図である。
【図１】
2007528628.tif 000003
【図２】
2007528628.tif 000004
【図３】
2007528628.tif 000005
【図４】
2007528628.tif 000006
【図５】
2007528628.tif 000007
【図６】
2007528628.tif 000008
【図７】
2007528628.tif 000009
【図８】
2007528628.tif 000010
【図９】
2007528628.tif 000011
【図１０】
2007528628.tif 000012
【図１１】
2007528628.tif 000013
【国際調査報告】
2007528628.tif 000014
2007528628.tif 000015
2007528628.tif 000016